(57)【要約】【課題】乗用型田植機において、機体の右前部及び左前部に右及び左の予備苗のせ台を備えた場合、予備苗のせ台の適切な補強を行うことができるように構成する。【解決手段】機体の右前部及び左前部に右及び左の予備苗のせ台３２を備え、右及び左の予備苗のせ台３２の上部に亘って横向きフレーム３６を連結する。運転席の後側に左右方向に沿って手すり４１を備える。横向きフレーム３６と手すり４１とに亘って、運転席の上側を通る前後向きフレーム４３を連結する。【選択図】図３
2014150749.tif 000002
【特許請求の範囲】
【請求項１】
機体の右前部及び左前部に右及び左の予備苗のせ台を備え、右及び左の前記予備苗のせ台の上部に亘って横向きフレームを連結し、
機体の運転部の運転席の後側に左右方向に沿って手すりを備え、
前記横向きフレームと前記手すりとに亘って、前記運転席の上側を通る前後向きフレームを連結している乗用型田植機。
【請求項２】
前記運転部の上側に位置する屋根を前記前後向きフレームに取り付けている請求項１に記載の乗用型田植機。
【請求項３】
前記屋根から垂れ下がって前記運転部の横部を覆う使用状態と上方に収納した収納状態とに変更自在なシート部材を、前記屋根に取り付けている請求項２に記載の乗用型田植機。
【発明の詳細な説明】
【技術分野】
【０００１】
本発明は、乗用型田植機における予備苗のせ台の構造に関する。
【背景技術】
【０００２】
乗用型田植機では特許文献１に開示されているように、機体の右前部及び左前部に右及び左の予備苗のせ台を備えているものがある。
この場合、多数の予備苗を載置できるように構成すると、予備苗のせ台の高さが高くなるので、特許文献１では右及び左の予備苗のせ台の上部に亘って横向きフレームを連結して、右及び左の予備苗のせ台を補強している。日除けとしての屋根を横向きフレームに連結して、運転席の上方を覆うように後方に片持ち状に延出している。
【先行技術文献】
【特許文献】
【０００３】
【特許文献１】特開平７−１１５８１６号公報
【発明の概要】
【発明が解決しようとする課題】
【０００４】
前述のように、機体の右前部及び左前部に右及び左の予備苗のせ台を備え、予備苗のせ台において多数の予備苗を載置できるように構成した場合、予備苗のせ台の補強という面で改善の余地がある。
本発明は、乗用型田植機において、機体の右前部及び左前部に右及び左の予備苗のせ台を備えた場合、予備苗のせ台の適切な補強を行うことができるように構成することを目的としている。
【課題を解決するための手段】
【０００５】
［Ｉ］
（構成）
本発明の第１特徴は、乗用型田植機において次のように構成することにある。
機体の右前部及び左前部に右及び左の予備苗のせ台を備え、右及び左の前記予備苗のせ台の上部に亘って横向きフレームを連結し、
機体の運転部の運転席の後側に左右方向に沿って手すりを備え、
前記横向きフレームと前記手すりとに亘って、前記運転席の上側を通る前後向きフレームを連結している。
【０００６】
（作用及び発明の効果）
乗用型田植機では、機体の運転部において運転席の後側に左右方向に沿って手すりを備えて、運転者が手すりを持ちながら（手すりで体を支えながら）、機体の後部の苗植付装置への苗の補給を行うことができるように構成しているものがある。
本発明の第１特徴によると、右及び左の予備苗のせ台の上部に亘って横向きフレームを連結することにより、予備苗のせ台の左右方向の補強を行っており、横向きフレームと手すりとに亘って、運転席の上側を通る前後向きフレームを連結することにより、予備苗のせ台の前後方向の補強を行っている。これにより、予備苗のせ台の前後及び左右方向の補強を適切に行うことができる。
【０００７】
右及び左の予備苗のせ台の上部に亘って連結されていることにより、横向きフレームは比較的高い位置に配置されている。手すりも同様に比較的高いものに構成される。
これにより、前後向きフレームを横向きフレームと手すりとに亘って連結する場合、前後向きフレームが運転席の運転者の邪魔にならないように、運転席の上側の比較的高い位置を通るように前後向きフレームを配置することが容易に行える。
【０００８】
［ＩＩ］
（構成）
本発明の第２特徴は、本発明の第１特徴の乗用型田植機において次のように構成することにある。
前記運転部の上側に位置する屋根を前記前後向きフレームに取り付けている。
【０００９】
（作用及び発明の効果）
日除けとしての屋根を運転席の上側に位置するように備えると、屋根は比較的前後に長いものになる。
本発明の第２特徴によると、比較的前後に長い屋根を、同様に比較的前後に長い前後向きフレームに取り付けることによって、前後向きフレームにより屋根を前後に亘って支持することができる。これにより、特許文献１のように屋根を運転席の上方を覆うように後方に片持ち状に延出する必要がなく、前後向きフレームにより屋根を安定して支持することができる。
【００１０】
［ＩＩＩ］
（構成）
本発明の第３特徴は、本発明の第２特徴の乗用型田植機において次のように構成することにある。
前記屋根から垂れ下がって前記運転席の横部を覆う使用状態と上方に収納した収納状態とに変更自在なシート部材を、前記屋根に取り付けている。
【００１１】
（作用及び発明の効果）
本発明の第３特徴によると、例えば晴れの日にはシート部材を収納状態に設定して、運転部（運転席）の横側を開放すればよい。例えば雨の日にはシート部材を使用状態に設定して、運転部（運転席）の横側をシート部材により覆うことにより、運転部（運転席）に入り込む雨を少なくすることができて、快適性を向上させることができる。
【図面の簡単な説明】
【００１２】
【図１】乗用型田植機の全体側面図である。
【図２】乗用型田植機の全体正面図である。
【図３】右及び左の予備苗のせ台、横向きフレーム、右及び左の横手すり、後手すり、前後向きフレーム等を示す斜視図である。
【図４】発明の実施の第１別形態における乗用型田植機の全体側面図である。
【図５】発明の実施の第２別形態における乗用型田植機の全体側面図である。
【図６】発明の実施の第３別形態における乗用型田植機の全体側面図である。
【図７】発明の実施の第４別形態において、（ａ）苗のせ台の上端部付近の側面図、（ｂ）苗のせ台の上端部を前方上方に移動させた状態を示す側面図である。
【図８】発明の実施の第５別形態における乗用型田植機の全体側面図である。
【発明を実施するための形態】
【００１３】
［１］
乗用型田植機の機体の概要について説明する。
図１に示すように、右及び左の前輪１、右及び左の後輪２を備えた機体において、右及び左の機体フレーム１７が機体前後方向に配置され、右及び左の機体フレーム１７の後部に縦壁状の右及び左の支持フレーム１８が連結されており、機体フレーム１７及び支持フレーム１８に亘ってステップ１９が連結されている。機体フレーム１７の前部にミッションケース２０が連結され、ミッションケース２０の前部に支持フレーム２１が連結されており、支持フレーム２１にエンジン２２が支持されている。
【００１４】
図１及び図２に示すように、エンジン２２を覆うボンネット２３が備えられており、ボンネット２３の右及び左横側部に、ステップ１９につながる右及び左の前部ステップ２４が形成されている。ボンネット２３の後部に前輪１の操向操作用の操縦ハンドル２５、走行用の静油圧式無段変速装置（図示せず）を操作する変速レバー２６、後述する苗植付装置５を昇降操作する為の強制昇降レバー２７が備えられている。
【００１５】
図１及び図２に示すように、ステップ１９よりも高い後部ステップ２８が、ステップ２０の後部から後方に向けて延出されて、機体フレーム１７及び支持フレーム１８に支持されており、運転席１１が後部ステップ２８の前部に位置するように支持フレーム１８に支持されている。運手席１１の右横側部に昇降レバー２９が備えられており、昇降レバー２９は苗植付装置５の上昇位置、中立位置、下降位置及び苗植付装置５が植付作動する植付位置に操作自在に構成されている。
以上のようにして、運転席１１及び操縦ハンドル２５、ステップ１９の付近に運転部３０が構成されている。
【００１６】
［２］
次に、苗植付装置５及び施肥装置３１について説明する。
図１に示すように、機体フレーム１７及び支持フレーム１８の後部にリンク機構３が昇降自在に支持され、リンク機構３を昇降駆動する油圧シリンダ４が備えられており、リンク機構３の後部に８条植型式の苗植付装置５が支持されている。
【００１７】
図１に示すように、苗植付装置５は伝動ケース６、伝動ケース６の後部の右及び左側部に回転駆動自在に支持された植付ケース７、植付ケース７の両端に備えられた一対の植付アーム８、接地フロート９及び苗のせ台１０等を備えて構成されている。これにより、苗のせ台１０が左右に往復横送り駆動されるのに伴って、植付ケース７が回転駆動され、苗のせ台１０の下部から植付アーム８が交互に苗を取り出して田面に植え付ける。
【００１８】
図１に示すように、運転席１１の後側において支持フレーム１８に繰り出し部１２及びホッパー１３が支持され、運転席１１の下側にブロア１４が備えられており、接地フロート９に備えられた作溝器１５と繰り出し部１２とに亘ってホース１６が接続されて、施肥装置３１が構成されている。これにより、ホッパー１３に貯留された肥料が繰り出し部１２により繰り出されて、ブロア１４の風によりホース１６から作溝器１５に供給され、作溝器１５により田面に形成された溝に供給される。
【００１９】
［３］
次に、右及び左の予備苗のせ台３２について説明する。
図１，２，３に示すように、予備苗のせ台フレーム３３の下部が支持フレーム２１及びステップ１９に連結されて、予備苗のせ台フレーム３３が上方に延出されている。予備苗のせ台フレーム３３の前側において、別の予備苗のせ台フレーム３４の下部が支持フレーム２１に連結され、前部ステップ２４を外側に迂回して予備苗のせ台フレーム３４が上方に延出されており、予備苗のせ台フレーム３４の上部３４ａが後方に折り曲げられて予備苗のせ台フレーム３３に連結されている。予備苗のせ台フレーム３３，３４の上下中間部に亘って、フレーム５１が連結されている。
【００２０】
図１及び図２に示すように、予備苗を載置する為の予備苗載置部３５が、予備苗のせ台フレーム３３，３４に上下複数段に亘って取り付けられている。予備苗載置部３５は、予備苗のせ台フレーム３３，３４から右及び左の横外側に延出されて予備苗を載置する使用姿勢、及び予備苗のせ台フレーム３３，３４に沿って上方に向く格納姿勢に切換自在に構成されている。
【００２１】
以上のように、予備苗のせ台フレーム３３，３４及び予備苗載置部３５により、予備苗のせ台３２が構成されており、右及び左の予備苗のせ台３２が機体の右前部及び左前部（ボンネット２３及び操縦ハンドル２５の右及び左の横外側）に配置されている。これにより、機体の前側の畔等から運転部３０に乗降する場合、運転者はボンネット２３と予備苗のせ台３２の間（前部ステップ２４）を通る。
【００２２】
図１，２，３に示すように、右及び左の縦部分３６ａ、横部分３６ｂを備えてアーチ状の横向きフレーム３６が備えられており、右及び左の予備苗のせ台フレーム３３の上端部に亘って横向きフレーム３６（縦部分３６ａ）が連結されている。この場合、横向きフレーム３６（縦部分３６ａ）を、右及び左の予備苗のせ台フレーム３４の上部３４ａに亘って連結してもよい。
【００２３】
［４］
次に、運転席１１の後側に位置する右及び左の横手すり３７、後手すり４１について説明する。
図１及び図３に示すように、ホッパー１３及び繰り出し部１２、後部ステップ２８の右及び左の横外側に位置するように、右及び左の横手すり３７が備えられている。横手すり３７は１本のパイプ材を折り曲げて構成されており、前縦部分３７ａ、後縦部分３７ｂ、前及び後縦部分３７ａ，３７ｂの上部に亘る横部分３７ｃを備えて構成されている。
【００２４】
図１及び図３に示すように、横手すり３７の前縦部分３７ａの下部が機体フレーム１７及びステップ１９に連結され、横手すり３７の後縦部分３７ｂの下部が支持フレーム１８及び後部ステップ２８に連結されており、横手すり３７の横部分３７ｃが側面視でホッパー１３の上面よりも少し上側に位置している（図１参照）。これにより、機体の右及び左の横外側から運転部３０に乗降する場合、ステップ１９の右及び左の横外側の下部に備えられた補助ステップ３８に足を掛けながら、運転者は予備苗のせ台３２と横手すり３７との間を通る。
【００２５】
図１及び図３に示すように、右及び左の縦部分３９ａ、右及び左の縦部分３９ａの上部に亘る横部分３９ｂを備えて、アーチ状の横向きフレーム３９が備えられており、横向きフレーム３９の縦部分３９ａの下部が横手すり３７の後縦部分３７ｂにブラケット４０を介して連結されている。横向きフレーム３９の縦部分３９ａは、横手すり３７と同じ位置に位置して、ホッパー１３及び繰り出し部１２、後部ステップ２８の右及び左の横外側に位置しており、横向きフレーム３９の横部分３９ｂは、横向きフレーム３６の横部分３６ｂと略同じ高さに位置している。
【００２６】
図１及び図３に示すように、横向きフレーム３９の縦部分３９ａに亘って、後手すり４１（手すりに相当）が連結されており、後手すり４１が運転席１１の後側に左右方向に沿って配置され、後手すり４１がホッパー１３の後側でホッパー１３の上面よりも少し高い位置に配置されている。これにより、後手すり４１は横向きフレーム３９の縦部分３９ａ及び横手すり３７を介して機体フレーム１７及び支持フレーム１８に連結されている。
【００２７】
以上の構造により、運転者がステップ１９や後部ステップ２８に立ち、横手すり３７や後手すり４１を持ちながら（横手すり３７や後手すり４１で体を支えながら）、ホッパー１３への肥料の補給や、苗のせ台１０への苗の補給を行う。
この場合、横向きフレーム３９の縦部分３９ａが繰り出し部１２及びホッパー１３、後部ステップ２８の右及び左の横外側に位置しているので（運転席１１の後方に存在しないので）、ホッパー１３への肥料の補給や苗のせ台１０への苗の補給に対して横向きフレーム３９の縦部分３９ａが邪魔にならない。
【００２８】
［５］
次に、日除けとしての屋根４２について説明する
図１及び図３に示すように、横向きフレーム３６の横部分３６ｂと、横向きフレーム３９の横部分３９ｂとに亘って、２本の前後向きフレーム４３が連結されている。これにより、横向きフレーム３６と後手すり４１とに亘って、前後向きフレーム４３が連結された状態となっている（後手すり４１は横向きフレーム３９を介して前後向きフレーム４３に連結される）。
【００２９】
図１，２，３に示すように、合成樹脂製の屋根４２が、横向きフレーム３６，３９の横部分３６ｂ，３９ｂ、前後向きフレーム４３に亘って載置されて連結されており、屋根４２が運転部３０（運転席１１）の上側に配置されている。
【００３０】
図１及び図２に示すように、透明（又は半透明）で可撓性を有するビニールシート状のシート部材４４が、屋根４２の右及び左の横側部に取り付けられている。図１及び図２に示す状態は、シート部材４４が屋根４２の右及び左の横側部においてロール状に丸められて紐により結ばれた状態である（上方に収納した収納状態）。
【００３１】
図１及び図２に示すように、透明（又は半透明）で可撓性を有するビニールシート状のシート部材４５が、屋根４２の後部に取り付けられている。図１及び図２に示す状態は、シート部材４５が屋根４２の後部においてロール状に丸められて紐により結ばれた状態である（上方に収納した収納状態）。
【００３２】
図１及び図２に示す状態において、紐を解いてシート部材４４を下方に垂れ下がらせることによって、シート部材４４により運転部３０（運転席１１）の右及び左の横部、繰り出し部１２及びホッパー１３の右及び左の横部を覆うことができる（使用状態）。紐を解いてシート部材４５を下方に垂れ下がらせることによって、シート部材４５により運転部３０の後部（運転席１１）、繰り出し部１２及びホッパー１３の後部を覆うことができる（使用状態）。
【００３３】
この場合、シート部材４４の下部を予備苗のせ台フレーム３３及び横手すり３７に備えられたフック（図示せず）に係合させることにより、シート部材４４の下部を固定することができる。シート部材４５の下部を後手すり４１に備えられたフック（図示せず）に係合させることにより、シート部材４５の下部を固定することができる。
【００３４】
［発明の実施の第１別形態］
図４に示すように、苗植付装置５の後部に薬剤散布装置４６を支持して、苗を田面に植え付けながら、薬剤散布装置４６により除草剤等の薬剤を田面に散布することがある。
この場合、図４に示すように、横向きフレーム３９の左右方向の横軸芯Ｐ１周りに、屋根４２を後方に反転できるように構成してもよい。これにより、屋根４２を後方に反転させることによって、薬剤散布装置４６のホッパー４６ａに薬剤を補給する際に、雨等が薬剤散布装置４６のホッパー４６ａに入るような状態を少なくすることができる。
【００３５】
［発明の実施の第２別形態］
図５に示すように、屋根４２を横向きフレーム３９及び前後向きフレーム４３に前後スライド自在に支持してもよい。これにより、屋根４２を後方に移動させることによって、薬剤散布装置４６のホッパー４６ａに薬剤を補給する際に、雨等が薬剤散布装置４６のホッパー４６ａに入るような状態を少なくすることができる。
【００３６】
［発明の実施の第３別形態］
図６に示すように、屋根４２を横向きフレーム３９の横部分３９ｂの左右中央の上下軸芯Ｐ２周りに回転自在に支持してもよい。これにより、屋根４２を後方に回転させることによって、薬剤散布装置４６のホッパー４６ａに薬剤を補給する際に、雨等が薬剤散布装置４６のホッパー４６ａに入るような状態を少なくすることができる。
【００３７】
［発明の実施の第４別形態］
苗のせ台１０を以下のように構成してもよい。
図７（ａ）に示すように、苗のせ台１０の上端部１０ａを、複数本のレール部材４７によりスライドで前方上方に伸長自在に構成し、苗のせ台１０の上部にロール状に巻かれたシート４８を回転自在に支持して、シート４８の端部を苗のせ台１０の上端部１０ａに接続しておく。
【００３８】
図７（ｂ）に示すように、苗植付装置５を上昇させた状態で、苗のせ台１０の上端部１０ａを前方上方に移動させると、シート４８が一緒に引き出されて、シート４８がホッパー１３の上方を覆う状態となる。これにより、ホッパー１３に肥料を補給する際に、雨等がホッパー１３に入るような状態を少なくすることができる。
【００３９】
［発明の実施の第５別形態］
屋根４２を以下のように支持してもよい。
図８に示すように、施肥装置３１（繰り出し部１２及びホッパー１３、ブロア１４、作溝器１５、ホース１６）を廃止して、運転席１１の後側において支持フレーム１８に、後部ステップ２８よりも大きな横幅を備えた予備苗のせ台４９を設けている。後部ステップ２８の右及び左の横外側に位置するように、右及び左の横手すり３７を設けている。
【００４０】
図８に示すように、側面視でアーチ状の右及び左の前フレーム５０を、ステップ１９及び前部ステップ２４の右及び左の横外側に備え、アーチ状の横向きフレーム３６を右及び左の前フレーム５０の上端部に亘って連結している。後手すり４１が連結されたアーチ状の横向きフレーム３９を、運転席１１と予備苗のせ台４９との間に位置するように右及び左の横手すり３７に亘って連結し、横向きフレーム３６，３９に亘って前後向きフレーム４３を連結して、横向きフレーム３６，３９及び前後向きフレーム４３に屋根４２を連結している。
【産業上の利用可能性】
【００４１】
本発明は、予備苗のせ台が高いものに構成された乗用型田植機に適用できる。
【符号の説明】
【００４２】
１１  運転席
３０  運転部
３２  予備苗のせ台
３６  横向きフレーム
４１  手すり
４２  屋根
４３  前後向きフレーム
４４  シート部材
【図１】
2014150749.tif 000003
【図２】
2014150749.tif 000004
【図３】
2014150749.tif 000005
【図４】
2014150749.tif 000006
【図５】
2014150749.tif 000007
【図６】
2014150749.tif 000008
【図７】
2014150749.tif 000009
【図８】
2014150749.tif 000010